(57)【特許請求の範囲】
【請求項１】
フィルム状のストリップと、
該ストリップの任意の位置に穿設され、該ストリップの一面側に僅かに突出し、その中央部分に開口部を有するエンボスと、
該エンボスを中心に、上記ストリップの長辺に対して斜向する方向に設けられた切り欠き線と
を有することを特徴とする歯科用治療具。
【請求項２】
上記ストリップのエンボス突出側の外側に、上記開口部を覆い簡易に剥がすことができる覆い片が設けられていることを特徴とする請求項１記載の歯科用治療具。
【請求項３】
上記エンボスが、上記ストリップの短辺方向で、長辺のいずれかの位置に近い位置に設けられたことを特徴とする請求項１又は２記載の歯科用治療具。
【発明の詳細な説明】
【技術分野】
【０００１】
本発明は、歯のう蝕部分を切削して形成される複雑窩洞の修復に用いる歯科用治療具に関する。
【背景技術】
【０００２】
う蝕した歯（以下「う蝕歯」という）の治療方法として、う蝕部分を切削して窩洞を形成し、その窩洞内に、例えば歯科用の光硬化性樹脂のコンポジットレジン（以下「ＣＲレジン」という）等が充填される。この様なＣＲレジンには、例えば、フロアブルコンポジットレジンが使用される。
【０００３】
上記窩洞は各種分類法により分類されており、Ｇ．Ｖ．Ｂｌａｃｋによる分類（Ｉ級窩洞〜Ｖ級窩洞）、Ｄａｖｉｄによる分類（ＶＩ級窩洞）がある。
【０００４】
う蝕歯を治療するには、図１４（ａ）の様な、う蝕歯（治療を要する歯：以下「要治療歯」という）Ａに形成した窩洞Ｂ内に、図１４（ｂ）に示す様にＣＲレジンを充填し、充填されたＣＲレジンの形状を整形して、窩洞Ｂを図１４（ｃ）のように修復している。
【０００５】
窩洞修復に使用される治療具としては、同図（ｂ）に示すような要治療歯Ａの外周にあてがうフィルム状の歯科用治療具（ストリップと呼ばれている）が知られている。その歯科用治療具（ストリップ１００）が、同図（ｂ）のように、要治療歯Ａの窩洞Ｂ部分の外周にあてがわれて、要治療歯Ａの外周に壁を作り（辺縁封鎖し）、封鎖された（囲まれた）窩洞Ｂ内にＣＲレジンを充填して、ＣＲレジンを所定の形態に整え、該ＣＲレジンに光を照射してＣＲレジンを硬化させ、窩洞Ｂ部分を修復するものである。
【０００６】
歯科治療、特に臼歯部のII級窩洞の修復治療においては、図１５のように、修復した歯（修復歯）Ａ’と、それと隣接する歯（以下「隣接歯」という）Ｄの接触点Ｘ同士が常時接触しているか、咬合時に接触する状態に回復することが望ましいとされる。
【０００７】
接触点Ｘ同士の接触不良は、咀嚼や発音機能の障害、歯周組織の損傷、う蝕の発生、歯の傾斜・捻転・移動等の障害等を引き起こすからとされている。
【０００８】
窩洞Ｂの修復（回復）治療では樹脂フィルム製のテープ状（２５μｍ〜５０μｍ程度の厚さ）の治療具（ストリップ１００）が使用されている。先行例として発明された治療具を使用した窩洞修復方法は、要治療歯Ａと隣接歯Ｄの間に挿入したテープ状の治療具（ストリップ１００）を窩洞Ｂ修復後も残す（配置したままにする）ため、窩洞修復した修復歯Ａ’と隣接歯Ｄの接触点Ｘ同士が直に接触せず、接触点Ｘの回復については必ずしも十分とはいえなかった。また、テープ状の治療具（ストリップ１００）が噛み合いで位置ずれするという難点もあった。
【０００９】
本件発明者は、後述する特許文献１の図面の中に示される図１６〜図１８に示すように、ストリップ１００の短辺中央部から長手方向にミシン目４００が入り、且つその中央部に凹部Ｈ（凹みであって開孔していない）があって、治療の際、まず、その凹部ＨにＣＲレジンを注入して所定の光を当て、小片ＣＲ’を形成する。そのうちストリップ１００の出っ張った側（上記凹部Ｈの反対側Ｈ’）を隣接歯Ｄに当てながら、要治療歯Ａを囲う様に該ストリップ１００を置き、要治療歯Ａの窩洞Ｂに同じくＣＲレジンを注入して、光を当て、そこでＣＲレジンを硬化させる。その後図１８に示す様に、ミシン目４００より上側のストリップ１００を取り払うことで、修復歯Ａ’側の小片ＣＲ’が隣接歯Ｄ側の接触点Ｘと接触して、両歯に接触点Ｘが残る様にしている。
【００１０】
他方、後述する特許文献２では、図１９及び図２０に示す様に、ストリップ１００の縦方向にミシン目４１０が入り、その上方部に、上部が完全解放の開口部Ｋが設けられたストリップ１００のものと、同じくストリップ１００の縦方向にミシン目４１０が入り、下部も上部も閉じて、同じくそこにミシン目４１０が入り、上部が閉じられることによって開孔部Ｋ’が設けられたストリップ１００のものの治療具が提案されている。
【００１１】
開口部Ｋが設けられたストリップ１００の構成では、治療の際、最初に該開口部ＫにＣＲレジンを、特に隣接歯側に出っ張らせながら、盛り付けてあって、予め光を当て硬化させてある。その出っ張らせた側を隣接歯Ｄに当てながら、要治療歯Ａを囲う様に該ストリップ１００を置き、要治療歯Ａの窩洞Ｂに同じくＣＲレジンを注入して、光を当て、そこでＣＲレジンを硬化させる。その後下のミシン目４１０を中心にストリップ１００を両側から引っ張り、該ミシン目４１０を中心に両側にそれぞれのストリップ１００を引き出す。もちろんこの時ミシン目４１０は破れ、そこを中心に左右のストリップ１００は切り離される。
【００１２】
他方開孔部Ｋ’が設けられたストリップ１００の構成では、治療の前に、最初に該開孔部Ｋ’にＣＲレジンを、特に隣接歯Ｄ側に出っ張らせながら、盛り付けおいて、光を当て硬化させ、隣接歯Ｄと接触できるように予め適度に出っ張った部分が作られる。その出っ張らせた側を隣接歯Ｄに当てながら、要治療歯Ａを囲う様に該ストリップ１００を置き、要治療歯Ａの窩洞Ｂに同じくＣＲレジンを注入して、光を当て、そこでＣＲレジンを硬化させる。その後上下のミシン目４１０を中心にストリップ１００を両側から引っ張り、両ミシン目４１０を中心に両側にそれぞれのストリップ１００を引き出す。もちろんこの時両ミシン目４１０は破れ、そこを中心に左右のストリップ１００は切り離される。
【００１３】
以上の様な構成により、要治療歯Ａと隣接歯Ｄとの接触点Ｘが残る様に、窩洞Ｂを修復する歯の治療が行われることになった。
【先行技術文献】
【特許文献】
【００１４】
【特許文献１】特許第５５５４７６０号
【特許文献２】特許第５４６９６３９号
【発明の概要】
【発明が解決しようとする課題】
【００１５】
このうち、特許文献１の構成では、凹部Ｈ内に小片ＣＲ’が残された上方のストリップ１００を上方に分離して除去して、その凹部Ｈによってできた小片ＣＲ’の突出した部分が隣接歯Ｄの同じく突出した部分に当たるように出来るとしている。しかし、この上方のストリップ１００にできていた凹部Ｈは、その治療中、凹部Ｈの外面Ｈ’が隣接歯Ｄの接触点Ｘに触れており、治療中に凹部Ｈ内部の小片ＣＲ’が直接隣接歯Ｄの接触点Ｘに触れているわけではないため、窩洞Ｂの修復後に、上方のストリップ１００を持ち上げて分離しようとした場合、その持ち上げと共に、隣接歯Ｄまで上方に引き上げることになる。すなわち、治療が終了する前は、ストリップ１００の凹部Ｈの外面Ｈ’が隣接歯Ｄの接触点Ｘに触れているだけに、その接触点Ｘは余計な隙間は無いわけであるから、治療（窩洞Ｂの修復）後に上方のストリップ１００が持ち上げられた場合は、その接触点Ｘによって、隣接歯Ｄも上方に引っ張りあげられてしまい、却って隣接歯Ｄに悪影響を及ぼす。
【００１６】
本来、接点のある隣接歯同士は、その接触点Ｘで安定しており、凹部Ｈ内部の小片ＣＲ’を隣接歯Ｄの新しい接触点Ｘにするために、上方のストリップ１００を持ち上げると、隣接歯Ｄには、その接触点Ｘに対し逆方向（接触点Ｘに向かおうとする方向と逆方向）に力が一時的に働いて、無理やり接触点Ｘの再接合が行われる結果となる。すると、該隣接歯Ｄ自身に、予期せぬ方向に力が働いて、該隣接歯Ｄに悪影響を及ぼすことになりかねない。この力は、治療が終了した側の歯（窩洞Ｂの修復歯Ａ’）にも、逆向きの力（反力）が働き、同じく悪影響を与える結果となる。
【００１７】
接触点Ｘを介して並んだ歯、一本一本は、本来動かないものであり、余計な力が働いて、動かされると、口腔部の骨からそれらの歯が浮き出ることにもなりかねないが、歯が浮き出ることは、（虫歯を抜き取る等の）余程のことがない限り、起きないという論文の報告もある。
【００１８】
また、下方のストリップ１００は、最終的に、残余部として残るが、図１７及び図１８に示されるように、垂直方向にミシン目４１０でできた横分離部があれば、そのミシン目４１０を境に、ストリップ１００を横方向に互いに引き裂くことで、残余部が残らないとしている（同文献の［００４０］にその様な記載がある）。
【００１９】
しかし、残余部が残らないようにと、上記図１６〜１８及び同文献１の［００４０］に示された、ストリップ１００の凹部Ｈの下方にミシン目４１０でできた横分離部を設けた構成では、図上ストリップ１００長手方向に対して垂直方向にそのミシン目４１０が設けられており、治療（窩洞Ｂの修復）前に、ＣＲレジン等で予め小片ＣＲ’を作るのに、横方向に長いストリップ１００では、手に持ってＣＲレジンを硬化させる際に、どうしてもミシン目４１０が下方に向いたままとなってその様な予備処理が行われるため、このミシン目４１０に沿ってＣＲレジンが流れ込んでしまい、光を当ててこれを硬化させた際、この横分離部（ミシン目４１０）では、ＣＲレジンの硬化によって、簡単に分離できなくなってしまうという問題があった。
【００２０】
また、凹部Ｈ内に充填される充填材（充填剤とも書くが本願では充填材に統一する）の種類によっては、上記ミシン目４１０が仮にうまく裂けたとしても、このミシン目４１０を裂く時に、（音で表現すればピチピチとなる）振動が起こって、該ミシン目４１０近傍側（の小片ＣＲ’）が剥がれ落ちてしまうことが多く、結局隣接歯Dとの接触点Ｘを作るべき小片ＣＲ’全体が離脱してしまうことになり、当初の目的を達成することも明らかとなった。なお、一緒に離脱する原因は、充填材の種類にもよるが、図１６（ａ）の凹部Ｈ内下方の斜線面部分だけでは小片ＣＲ’の保持が難しく、それがために小片ＣＲ’全体が離脱してしまうからである。
【００２１】
一方、もう一つの特許文献２の構成では、上記と異なり、ストリップ１００に小片ＣＲ’を設けるための凹部Ｈなどの存在はなく、ストリップ１００の上方が開放している開口部Ｋが設けられる構成と、ストリップ１００の板面の中に開孔部Ｋ’が設けられる構成とが示されている。
【００２２】
これらの構成は、小片ＣＲ’をこの開口部Ｋ乃至開孔部Ｋ’に設けてそこに予め小片ＣＲ’を設けて、隣接歯Ｄの出っ張った部分とこの小片ＣＲ’とが、互いに接触点Ｘとなって、治療（窩洞Ｂの修復）の前後で変わりはなく、優れたものである。
【００２３】
しかし、上述と同様に、治療（窩洞Ｂの修復）後、ストリップ１００を外すために、ミシン目４１０でできた横分離部ができており、上述の構成と同じく、該ミシン目４１０は、図上ストリップ１００長手方向に対して垂直方向に設けられているため、治療（窩洞Ｂの修復）前に、ＣＲレジン等で予め小片ＣＲ’を作るのに、横方向に長いストリップ１００では、手に持ってＣＲレジンを硬化させる際に、どうしてもミシン目４１０が下方に向いままとなってその様な予備処理が行われるため、このミシン目４１０に沿ってＣＲレジンが流れ込んでしまうことになる。従って、光を当ててこれを硬化させた際、この横分離部（ミシン目４１０）では、ＣＲレジンの硬化によって、簡単に分離できなくなってしまうという同様な問題があった。
【００２４】
本発明は、以上のような問題に鑑み創案されたものであって、窩洞の修復と同時に、治療が終了した歯とその隣接歯との間で、既に接点ができており、しかも治療の終了後に容易に外すことのできる歯科用治療具を提供せんとするものである。
【課題を解決するための手段】
【００２５】
本発明に係る歯科用治療具の構成は、
フィルム状のストリップ１と、
該ストリップ１の任意の位置に穿設され、該ストリップ１の一面側に僅かに突出し、その中央部分に開口部２を有するエンボス３と、
該エンボス３を中心に、上記ストリップ１の長辺に対して斜向する方向に設けられた切り欠き線４と
を有することを基本的特徴としている。
【００２６】
上記構成によれば、ストリップ１に設けられたエンボス３に開口部２が設けられているため、治療（窩洞Ｂの修復）前に、ＣＲレジン等の充填材をその開口部２に充填し光を照射して硬化させ、後に隣接歯Ｄに直接当たることになる部分（後に接触点Ｘとなる部分）を予め作っておく。そして、治療（窩洞Ｂの修復）に、そのストリップ１を要治療歯Ａの周りにセットする。この際、当然のことながら、上記開口部２から突出していてＣＲレジン等の硬化した部分は、隣接歯Ｄとの間で接触点Ｘとなっている。そして、一部残ったこのストリップ１に囲まれた窩洞ＢにさらにＣＲレジン等を充填し、光を当て、硬化させる。その後、上記切り欠き線４を中心に互いに反対方向に引っ張れば、既に出来ていた接触点Ｘを中心に、治療が終了した修復歯Ａ’とその隣接歯Ｄとが、何らの負荷も掛からず並ぶことになる。
【００２７】
上記切り欠き線４は、上述した様な従来例の場合構成の場合と異なり、上述のように、ストリップ１の長辺に対して斜向する方向に設けられているため、歯の治療を行う者がストリップ１を手に持った場合、切り欠き線４が下方に位置することがなく（切り欠き線４は垂直方向よりも例えば４５度斜め方向に斜行する状態になっている）、予め（治療前）開口部２にＣＲレジン等の充填材を充填した際に、その切り欠き線４に沿って、流れ出ることはない。
【００２８】
しかもエンボス３の開口部２は小さな径であるので、治療前にそこにＣＲレジン等が充填された際は、開口部２の中央において出来るだけ小さくなる様に働き集まろうとする表面張力が作用するため、それがために余計に該充填物が切り欠き線４に沿って、流れ出ることがなくなる。この様に表面張力が作用する場合は、開口部２に充填されるＣＲレジン等が、切り欠き線４に沿って、流れ出ることがさらになくなる。
【００２９】
従って、上記構成によれば、窩洞Ｂの修復と同時に、治療が終了した修復歯Ａ’とその隣接歯Ｄとの間で、既に接触点Ｘができており、しかも切り欠き線４にＣＲレジン等が流れ出すおそれがないため、治療の終了後に容易に外すことが可能となる。
【００３０】
仮に、エンボス３の開口部２の径につき、充填されたものが開口部２の中央において出来るだけ小さくなる様に働き集まろうとする表面張力が作用し得ない程の径である場合もある。その様な場合に備えて、２つ目の発明では、上記ストリップ１のエンボス３突出側の外側に、上記開口部２を覆い簡易に剥がすことができる覆い片５が設けられている構成を提案する。
【００３１】
この構成では、予め（治療前）開口部２にＣＲレジン等を充填した際に、本来ならこの充填物が開口部２から流れ出てしまうところであるが、覆い片５があるため、流れ出すことがない。そのため、治療（窩洞Ｂの修復）前に、ＣＲレジン等の充填物をその開口部２に充填し光を当てるなどして硬まった後に、覆い片５を剥がして使用する。簡易に剥がすことができる素材としては、その片側に、簡単に剥がすことができる粘着剤が添付された、樹脂で出来たテープ状のもの等がある（もちろん上記の様に使用できれば、その他の素材のものでも良い）。
【００３２】
本願発明の３つ目の構成は、上記エンボス３が、上記ストリップ１の短辺方向で、長辺のいずれかの位置に近い位置に設けられたことを特徴としている。
【００３３】
エンボス３の中央部分に開口部２があるため、ストリップ１のどこにエンボスが設けられるかによって、色々な使い方ができるようになる。
【００３４】
ストリップ１の幅方向のいずれかに近い方に（開口部２の設けられた）エンボス３があれば、歯肉が後退してしまった人の上記窩洞Ｂの修復治療では、隣接歯Ｄとの接触点Ｘが歯肉より離れた位置になるため、エンボス３が（従って開口部２も）ストリップ１の片側（例えば下歯の歯肉が後退している場合は上辺側）に寄っていると、ストリップ１を要治療歯Ａにセットした際に、歯肉より離れた位置に接触点Ｘが作りやすくなる。さらにより高い位置に接触点Ｘを持っていきたければ、ストリップ１を斜めにセットすれば、その様な位置に接触点Ｘを持っていくことができる。
【００３５】
逆に、指肉が後退していなければ、エンボス３が（従って開口部２も）それとは逆側（例えば下辺側）に寄って位置するストリップ１を使用する様にすれば良い。また隣接歯Ｄとの間で、本歯科用治療具を入れて接触点Ｘを適切な場所にセットしながら要治療歯Ａの治療を行う際に、高さ方向に十分な高さがない場合でも簡単に治療が行えるようになる。
【発明の効果】
【００３６】
本発明に係る歯科用治療具によれば、窩洞の修復と同時に治療が終了した歯とその隣接歯との間で、既に接点ができており、しかも治療終了後に容易に外すことが可能となるという優れた効果を奏し得る。
【００３７】
また、３つ目の本発明の構成によれば、窩洞の修復治療において、歯肉が後退してしまっている場合或いはその逆の場合（また隣接歯との間で高さ方向に十分な高さがない場合）でも、隣接歯との間で容易に接点を作りながら、そのまま窩洞の修復治療ができ、窩洞の修復治療が簡単に行えるようになる。
【図面の簡単な説明】
【００３８】
【図１】本発明の実施例１の構成を示すもので、（ａ）は該治療具の平面図、（ｂ）はその正面図である。
【図２】ＣＲレジン等の充填材をエンボス３開口部２内に充填する状態を示す斜視図である。
【図３】エンボス３開口部２内に充填された上記充填材を光の照射によって、硬化させる状態を示す斜視図である。
【図４】上記開口部２内で充填材が硬化した状態を示す正面図である。
【図５】実施例１にかかる治療具のストリップ１を要治療歯Ａ周りにセットし、エンボス３開口部２からせりでた充填材と隣接歯Ｄとの間に接触点Ｘができている状態を示す説明図である。
【図６】充填材と隣接歯Ｄとの間に接触点Ｘができた状態で、治療（窩洞Ｂの修復）を行った状態を示す説明図である。
【図７】充填材と隣接歯Ｄとの間に接触点Ｘができた状態のまま、上記ストリップ１を除いた状態を示す説明図である。
【図８】エンボス３開口部２の径が広くて、そのままでは充填材が硬化する前にそこから離脱してしまう場合に、エンボス３突出側の外側に、上記開口部２を覆い簡易に剥がすことができる覆い片５が設けられている、実施例２に係る構成を示す、（ａ）はその平面図、（ｂ）はその正面図である。
【図９】上記実施例２の構成で、ＣＲレジン等の充填材をエンボス３開口部２内に充填する状態を示す斜視図である。
【図１０】エンボス３開口部２内に充填された上記充填材を光の照射によって、硬化させた状態を示す斜視図である。
【図１１】充填材が硬化した後に、上記覆い片５を取り除く状態を示す斜視図である。
【図１２】エンボス３が、上記ストリップ１の短辺方向で、（ａ）は長辺上部の位置に近い位置に設けられている、又（ｂ）は長辺下部の位置に近い位置に設けられている実施例３の構成を示す平面図である。
【図１３】上記実施例の構成と同じであるが、開口部２を覆いつつ、そこから簡易に剥がすことができる覆い片５が設けられており、（ａ）は長辺上部の位置に近い位置に設けられている、又（ｂ）は長辺下部の位置に近い位置に設けられている構成を示す平面図である。
【図１４】要治療歯Ａの窩洞Ｂ部分の外周にストリップ１００があてがわれて、要治療歯Ａの外周に壁を作り（辺縁封鎖し）、封鎖された（囲まれた）窩洞Ｂ内にＣＲレジンを充填して、ＣＲレジンを所定の形態に整え、該ＣＲレジンに光を照射してＣＲレジンを硬化させ、窩洞Ｂ部分を修復する状態を示す説明図である。
【図１５】修復歯Ａ’と隣接歯Ｄが接触点Ｘを介して接触するようになり、回復した状態を示す説明図である。
【図１６】従来技術として特許文献１に示された窩洞修復に使用される治療具の使用状態を示す説明図である。
【図１７】同じく特許文献１に示された窩洞修復に使用される治療具の使用状態を示す説明図である。
【図１８】同じく特許文献１に示された窩洞修復に使用される治療具の使用状態を示す説明図である。
【図１９】従来技術として特許文献２に示された窩洞修復に使用される治療具の使用状態を示す説明図である。
【図２０】同じく特許文献２に示された窩洞修復に使用される治療具の使用状態を示す説明図である。
【発明を実施するための形態】
【００３９】
以下、本発明の実施の形態を図示例と共に説明する。
【実施例１】
【００４０】
図１〜図７は発明を実施する実施例１を示すものである。図中、１はストリップ、２は開口部、３はエンボス、４は切り欠き線を、各示している。
【００４１】
この実施例１の構成では、ストリップ１は、フィルム状の薄いもの（例えば２５μｍ〜５０μｍ程度の厚さ）で構成されており、簡単に湾曲させたり折ったりすることのできる、口腔内に入れて良いものならその素材に限定はなく、例えば可撓性のあるプラスチック材等を用いている。
【００４２】
エンボス３は、ストリップ１の任意の位置（図面上はストリップ１の中央部）に設けられ、所謂透かし彫りの様に、肉眼でやっと確認できる程度の薄身の凹部分が設けられている状態で形成されており、上記ストリップ１が可撓性を有することから、パンチング等で穿設されることで、該エンボス３と上記開口部２とが一緒に作られている。後述するように、ここにＣＲレジン（歯科用の光硬化性樹脂）等の充填材を入れて、開口部２からその充填材の一部表面を突出させ、隣接歯との間に接触点Ｘが形成できる程度に、該充填材を保持できる容積がこのエンボス３内に形成されている。ただし、エンボス３と開口部２との間において、そこにできる充填材の接着面を程よく確保し、CRレジン等の充填材の載りを良くするため、エンボス３とその中央部分に形成される開口部２との間には、それぞれの径に差がある（エンボス３の径＞開口部２の径）。
【００４３】
切り欠き線４は、上記エンボス３を中心に、上記ストリップ１の長辺に対して斜向する方向に設けられたミシン目で構成されており、製造工程上は、先にエンボス３及び開口部２が形成された後、該切り欠き線４を入れる。或いはエンボス３及び開口部２の形成と同時に、切り欠き線４も形成しても良い。
【００４４】
次に、上記実施例１の歯科用治療具の使用の仕方を説明する。
【００４５】
まず、歯科治療をする者が、要治療歯Ａに窩洞Ｂを形成する。そして、図２に示す様に、該ストリップ１のエンボス３の開口部２に向けて、ＣＲレジン等の充填材を注入し、図３に示す様に、エンボス３の開口部２に光を照射し、エンボス３の開口部２内に溜まった上記充填材を硬化させる。図４は、そうやってストリップ１の開口部２内で硬まった充填材ＣＲの状態を示している。該充填材ＣＲは、エンボス３よりわずかにせり出した状態で硬まっている。
【００４６】
この状態のストリップ１を、図５に示す様に、要治療歯Ａに対して巻き付ける。即ち、ストリップ１のエンボス３の開口部２から突出した充填材ＣＲの一番出っ張った側が、隣接歯Ｄの同じく一番出っ張った側とくっつき、そこに接触点Ｘを作る様に、ストリップ１を要治療歯Ａの周りにセットする。
【００４７】
その後、図６に示す様に、窩洞Ｂに同じ材質の充填材を盛り、その形を整えた後、光を照射し、後から盛った充填材を硬化せしめる。
【００４８】
最後に修復歯Ａ’と隣接歯Ｄとの間に接触点Ｘが出来たことを確認しながら、切り欠き線４部分を引きちぎり、ストリップ１をそこから取り去る。その様に治療をすることによって、図７に示す様に、修復歯Ａ’と隣接歯Ｄとが接触した状態で並び、即ちＸが接点となった状態で両歯が並び、治療は終了する。
【００４９】
上記実施例１の構成によれば、窩洞Ｂの修復と同時に治療が終了した歯Ａ’とその隣接歯Ｄとの間で、既に接触点Ｘができており、しかも治療終了後に切り欠き線４を千切ってストリップ１を外すことで、要治療歯Ａの治療が簡単に終了することとなる。修復歯Ａ’と隣接歯Ｄとの間に接触点Ｘが出来た後は、千切られるストリップ１に充填材がくっついて離脱するようなこともない。
【実施例２】
【００５０】
図８〜図１１は、２つ目の発明の実施例構成を示している。図中、上記実施例１と同じ１〜４のものは、同じ構成を示している。
【００５１】
上記実施例１との違いは、エンボス３の開口部２に対して、そこに準備段階で盛られるＣＲレジン等の充填材に表面張力が作用することができない程度に、その径が大きい場合の構成であって、もし、そこに上記充填材を注入した場合、そのままでは充填材が硬化する前にそこから離脱してしまう様なケースを想定した構成である。本実施例２の構成では、図８に示す様に、エンボス３突出側の外側に、上記開口部２を覆い簡易に剥がすことができる覆い片５が設けられている。上記実施例１の図２及び図３と同様に、図９に示す様に、該ストリップ１のエンボス３の開口部２に向けて、ＣＲレジン等の充填材を注入し、図１０に示す様に、エンボス３の開口部２に光を照射し、エンボス３の開口部２内に溜まった上記充填材を硬化させる。エンボス３の開口部２内に溜まった上記充填材が硬化した後、図１１に示す様に、覆い片５を剥離して使用する。
【００５２】
その際、ここでは特に図示していないが、図４と同様に、充填材ＣＲは、エンボス３よりわずかにせり出した状態で硬まっている。
【００５３】
それ以外は、実施例１と同じようにして使用する。一応説明すると、上記状態となったストリップ１を、図５に示す様に、要治療歯Ａに対して巻き付ける。即ち、ストリップ１のエンボス３の開口部２から突出した充填材ＣＲの一番出っ張った側が、隣接歯Ｄの同じく一番出っ張った側とくっつき、そこに接触点Ｘを作る様に、ストリップ１を要治療歯Ａの周りにセットする。
【００５４】
その後、図６に示す様に、窩洞Ｂに同じ材質の充填材を盛り、その形を整えた後、光を照射し、後から盛った充填材を硬化せしめる。
【００５５】
最後に修復歯Ａ’と隣接歯Ｄとの間に接触点Ｘが出来たことを確認しながら、切り欠き線４部分を引きちぎり、ストリップ１をそこから取り去る。その様に治療をすることによって、図７に示す様に、修復歯Ａ’と隣接歯Ｄとが接触した状態で並び、即ちＸが接点となった状態で両歯が並び、治療は終了する。この接触点Ｘが出来た後は、修復歯Ａ’自身とそこに充填された充填材CRとの接触力が大きいため、千切られるストリップ１に充填材CRがくっついて離脱するようなこともない。
【実施例３】
【００５６】
図１２及び図１３は、エンボス３が、上記ストリップ１の短辺方向で、長辺のいずれかの位置に近い位置に設けられている、実施例１と同様な構成（図１２）と、実施例２と同様な構成（図１３）とを各示している。
【００５７】
そのうち図１２（ａ）は、エンボス３が、上記ストリップ１の短辺方向で、長辺上部の位置に近い位置に設けられている構成の、又図１２（ｂ）は、エンボス３が、上記ストリップ１の短辺方向で、長辺下部の位置に近い位置に設けられている構成の、各平面図を示している。
【００５８】
図１３（ａ）（ｂ）は、エンボス３突出側の外側に、上記開口部２を覆い簡易に剥がすことができる覆い片５が設けられている構成の、図１２（ａ）（ｂ）の構成に対応する構成を示している。
【００５９】
これらの使用の仕方は、上記実施例１及び２と同じである。
【００６０】
これら実施例３の構成では、エンボス３の中央部分に開口部２があるため、ストリップ１のどこにエンボスが設けられるかによって、色々な使い方ができるようになる。
【００６１】
ストリップ１の幅方向のいずれかに近い方に（開口部２の設けられた）エンボス３があれば、歯肉が後退してしまった人の上記窩洞Ｂの修復治療では、隣接歯Ｄとの接触点Ｘが歯肉より離れた位置になるため、エンボス３が（従って開口部２も）ストリップ１の片側（例えば上辺側）に寄っていると、ストリップ１を要治療歯Ａにセットした際に、歯肉より離れた位置に接触点Ｘが作りやすくなる。さらにより高い位置に接触点Ｘを持っていきたければ、ストリップ１を斜めにセットすれば、その様な位置に接触点Ｘを持っていくことができる。
【００６２】
逆に、指肉が後退していなければ、エンボス３が（従って開口部２も）それとは逆側（例えば下辺側）に寄って位置するストリップ１を使用する様にすれば良い。
【００６３】
また隣接歯Ｄとの間で、本歯科用治療具を入れて接触点Ｘを適切な場所にセットしながら要治療歯Ａの治療を行う際に、高さ方向に十分な高さがない場合でも、簡単に治療が行えるようになる。
【００６４】
これらの構成は、上歯と下歯との間で全く逆に用いられる。すなわち、歯肉が後退してしまった人の、要治療歯Ａの治療では、上歯には図１２（ｂ）及び図１３（ｂ）のものが、また下歯には図１２（ａ）及び図１３（ａ）のものが用いられるのが良い。
【００６５】
他方歯肉が後退していない人（例えば子供）の、要治療歯Ａの治療では、上歯には図１２（ａ）及び図１３（ａ）のものが、また下歯には図１２（ｂ）及び図１３（ｂ）のものが用いられるのが良い。
【００６６】
また隣接歯Ｄとの間で、本歯科用治療具を入れて接触点Ｘを適切な場所にセットしながら要治療歯Ａの治療を行う際に、高さ方向に十分な高さがない場合でも、上記と同様な用い方となる。
【００６７】
本実施例３の構成によれば、窩洞Ｂの修復治療において、歯肉が後退してしまっている場合或いはその逆の場合（また隣接歯Ｄとの間で高さ方向に十分な高さがない場合）でも、隣接歯Ｄとの間で容易に接触点Ｘを作りながら、そのまま窩洞Ｂの修復治療ができ、窩洞Ｂの修復治療が簡単に行えるようになる。
【００６８】
尚、本発明の歯科用治療具は、上述の実施例にのみ限定されるものではなく、本発明の要旨を逸脱しない範囲内において種々変更を加え得ることは勿論である。
【産業上の利用可能性】
【００６９】
本発明の歯科用治療具は、上記実施例１〜３で、ＩＩ級窩洞Ｂの修復に用いられる場合を一例として説明したが、本発明の歯科用治療具は、それ以外の窩洞Ｂの修復に用いられることも可能である。
【符号の説明】
【００７０】
１、１００  ストリップ
２          開口部
３          エンボス
４          切り欠き線
５          覆い片
４００、４１０  ミシン目
Ａ          要治療歯
Ａ’        修復歯
Ｂ          窩洞
ＣＲ          充填材
ＣＲ’        小片
Ｄ          隣接歯
Ｈ          凹部
Ｈ’        凹部外面
Ｋ          開口部
Ｋ’        開孔部
Ｘ          接触点
【要約】
【課題】  窩洞の修復と同時に、治療が終了した歯とその隣接歯との間で、既に接点ができており、しかも治療の終了後に容易に外すことのできる歯科用治療具を提供する。
【解決手段】  フィルム状のストリップ１と、該ストリップ１の任意の位置に穿設され、該ストリップ１の一面側に僅かに突出し、その中央部分に開口部２を有するエンボス３と、該エンボス３を中心に、上記ストリップ１の長辺に対して斜向する方向に設けられた切り欠き線４とを有している。
【選択図】        図１【図１】
0006912137.tif 000002
【図２】
0006912137.tif 000003
【図３】
0006912137.tif 000004
【図４】
0006912137.tif 000005
【図５】
0006912137.tif 000006
【図６】
0006912137.tif 000007
【図７】
0006912137.tif 000008
【図８】
0006912137.tif 000009
【図９】
0006912137.tif 000010
【図１０】
0006912137.tif 000011
【図１１】
0006912137.tif 000012
【図１２】
0006912137.tif 000013
【図１３】
0006912137.tif 000014
【図１４】
0006912137.tif 000015
【図１５】
0006912137.tif 000016
【図１６】
0006912137.tif 000017
【図１７】
0006912137.tif 000018
【図１８】
0006912137.tif 000019
【図１９】
0006912137.tif 000020
【図２０】
0006912137.tif 000021